(57)【要約】【課題】構成が簡単で動作が安定的であり、しかも、導出状態では直線的なレール状に形成でき、また、単純な形態で、水平横方向への湾曲や逆方向への屈曲を防止し、張設面部材の端部を安定的にガイドできる端部ガイドを提供する。【解決手段】ネットガイド１２は、ネット４の端部に沿う底部１４ａと該ネット４の外側面に沿う立壁部１４ｂとにより略Ｕ字状に形成したガイド駒１４の多数を、ガイド駒１４の連接面における立壁部１４ｂの先端部を相互に回転可能に連接する。ネットガイド１２がネット４の端部に沿って導出されたとき、隣接するガイド駒１４の連接面が相互に当接する。【選択図】        図１
2005023578.tif 000002
【特許請求の範囲】
【請求項１】
可収納張設面部材の開閉に際して該部材の伸縮する端部をガイドするための端部ガイドであって、
上記張設面部材の開閉に応じて、該部材の開閉方向両端に取り付けた枠材の少なくとも一方からその内部に出入りし、張設状態にある上記部材の端部に沿って導出されてその端部をガイドするものにおいて、
上記端部ガイドは、上記張設面部材の端部に沿う底部と該部材の外側面に沿う立壁部とにより略Ｕ字状に形成した合成樹脂製のガイド駒の多数を、該ガイド駒の連接面における立壁部の先端部を相互に回転可能に連接し、且つ端部ガイドが上記張設面部材の端部に沿って導出されたとき、隣接するガイド駒の連接面の全部または一部が相互に当接するものとして構成した、
ことを特徴とする可収納張設面部材の端部ガイド。
【請求項２】
ガイド駒における立壁部の先端部に沿って通孔を形成するとともに、該通孔にワイヤー部材を挿通して多数のガイド駒を連接することにより端部ガイドを構成したことを特徴とする請求項１に記載の可収納張設面部材の端部ガイド。
【請求項３】
立壁部の通孔にワイヤー部材を嵌脱する溝を設けたことを特徴とする請求項２に記載の可収納張設面部材の端部ガイド。
【請求項４】
ガイド駒における立壁部に、隣接するガイド駒を相互に回動自在に連結する一対の継手を設け、この継手により隣接する多数のガイド駒を順次連接して端部ガイドを構成したことを特徴とする請求項１に記載の可収納張設面部材の端部ガイド。
【請求項５】
隣接するガイド駒の連接面における立壁部の先端部を、それぞれ連結子によって回動自在に連結して端部ガイドを構成したことを特徴とする請求項１に記載の可収納張設面部材の端部ガイド。
【請求項６】
隣接するガイド駒の立壁部の先端部を可撓の連結条で接合することにより多数のガイド駒を連接して端部ガイドを構成したことを特徴とする請求項１に記載の可収納張設面部材の端部ガイド。
【請求項７】
隣接するガイド駒のワイヤー部材を挿通する通孔間に中間回転子を介在させたことを特徴とする請求項２または３に記載の可収納張設面部材の端部ガイド。
【請求項８】
ガイド駒の全部または一部に、それらの摺動面に設けたガイドレールに係合して摺動する係合部を設けたことを特徴とする請求項１乃至６のいずれかに記載の可収納張設面部材の端部ガイド。
【請求項９】
可収納張設面部材が、交互に逆方向に折り返すことによりアコーディオン状に形成したスクリーンであることを特徴とする請求項１乃至６のいずれかに記載の可収納張設面部材の端部ガイド。
【請求項１０】
可収納張設面部材が、可撓性のスクリーンまたは多数の棒または帯状材をその長手方向に沿って順次可撓に連結して、ロールに巻いた面部材であることを特徴とする請求項１乃至６のいずれかに記載の可収納張設面部材の端部ガイド。
【請求項１１】
可収納張設面部材が、折り畳み可能な筒状部片を順次接合することにより構成されていることを特徴とする請求項１乃至６のいずれかに記載の可収納張設面部材の端部ガイド。
【請求項１２】
可収納張設面部材が、折り畳み可能なシート状材を折り目に平行する接着線に沿って接合して形成された筒状部を順次連接して、それにより形成した中空部が厚さ方向に多層化された構成を有するものとしたことを特徴とする請求項１乃至６のいずれかに記載の可収納張設面部材の端部ガイド。
【請求項１３】
可収納張設面部材の両側端に端部ガイドを設けたことを特徴とする請求項１乃至６のいずれかに記載の可収納張設面部材の端部ガイド。
【発明の詳細な説明】
【０００１】
【発明の属する技術分野】
本発明は、可収納張設面部材の端部をガイドするための端部ガイドに関するものであり、さらに具体的には、建具、間仕切り、カーテンやスクリーン、扉付きの家具や収納具の扉、各種シャッター等の可収納張設面部材において、該張設面部材の開閉に応じて該部材の両端に取り付けた枠材の少なくとも一方からその内部に出入りし、張設状態にある上記張設面部材の端部に沿って導出されてそれらの端部をガイドする端部ガイドに関するものである。
【０００２】
【従来の技術】
可撓張設面部材の開閉に応じて、該部材の開閉方向両端に取り付けた枠材の少なくとも一方からその内部に出入りし、張設状態にある上記部材の端部に沿って導出されてその端部をガイドする端部ガイドは、例えば、特許文献１において開示されているスクリーン装置におけるスライドガイド枠部が知られている。この従来のスライドガイド枠部は、架橋部を介して対向配置された側壁部を持つ剛性ユニットを連結することにより形成したものである。
【０００３】
而して、この種の端部ガイドは、当該端部ガイドを備えた可収納張設面部材の開閉装置を安価に提供できるようにするばかりでなく、そのメンテナンス性を向上させるために、その構造を簡易化する必要があり、また、上記枠材の開閉の操作性を損なうことなく、上記張設面部材を安定して開閉操作できるようにする必要がある。
ところが、上記特許文献１に記載のものは、端部ガイドとしてのスライドガイド枠部を構成する剛性ユニットの構造が複雑で、その製造にもコストがかかるばかりでなく、上記剛性ユニットの連結にも手数を要し、また、その構造の複雑さからスライドガイド枠部のメンテナンスにも手数を要するものである。しかも、剛性ユニットを回転自在に連結しているため、それらが床面や枠材に接触する際に騒音を発し、張設面部材の静かで安定的な開閉操作も望めないものである。
【０００４】
上述のような問題点を解決するものとして、本出願人が特許文献２において、張設面部材としてのネットの開閉に応じて、該ネットの両端に取り付けた枠材の下端からその内部に出入りし、張設状態にある該ネットの下端に沿って導出されてその下端をガイドし、該ネットの揺れを防止する端部ガイドとしてのネットガイドを提案している。
上記既提案のネットガイドは、ガイド駒の連接部分におけるテープ状部材の湾曲の反力が可動框の操作力に対抗する緩衝のための作用力となり、可動框の開閉の操作性を損なうことなく、適切な抵抗による緩衝性を付与することにより騒音を抑制することができ、しかも、このようなネットガイドを簡易な構造で且つ安価に提供することができる点で極めて有効なものである。
【０００５】
ところが、上記ネットガイドでは、ネットに予想外の強い風等の外力が作用すると、ネットガイドにおける枠材から直線的に導出された部分では、上記ネットの下端に押されて上記ネットガイドが水平横方向に湾曲してしまう場合が考えられる。
また、上記ネットガイドは、各ガイド駒を連接するテープ状部材により該ネットガイドの逆方向への湾曲（床面からの浮き上がり）を抑止するようにしているが、ネットを比較的広い範囲にわたって張設した場合、すなわちネットガイドが比較的長く導出された状態において、強い力で可動框によるネットの開閉操作を行うと、ネットガイドに対して上記枠材への導入方向に大きな負荷が作用することになり、該ネットガイドが横方向に湾曲して上記ネットがネットガイドから外れてしまったり、あるいはネットガイドが通常とは逆に上方に湾曲して浮き上がってしまったりする場合が考えられ、ネットガイドの逆方向への湾曲を抑止するための対策を講じることが望まれている。
【０００６】
【特許文献１】
特開２０００−１４５３１４号公報
【特許文献２】
特願２００１−３６１２７９号
【０００７】
【発明が解決しようとする課題】
本発明の技術的課題は、構成が簡単で動作が安定的であり、しかも、導出状態では直線的なレール状に形成できる端部ガイドを安価に提供することにある。
また、本発明の他の技術的課題は、単純な形態で、水平横方向への湾曲や逆方向への屈曲（設置面からの浮き上がり）を防止し、張設面部材の端部を常に安定的にガイドすることができる端部ガイドを提供することにある。
【０００８】
【課題を解決するための手段】
上記課題解決するための本発明は、可収納張設面部材の開閉に際して該部材の伸縮する端部をガイドするための端部ガイドであって、上記張設面部材の開閉に応じて、外部材の開閉方向両端に取り付けた枠材の少なくとも一方からその内部に出入りし、張設状態にある上記部材の端部に沿って導出されてその端部をガイドするものにおいて、上記端部ガイドは、上記張設面部材の端部に沿う底部と外部材の外側面に沿う立壁部とにより略Ｕ字状に形成した合成樹脂製のガイド駒の多数を、該ガイド駒の連接面における立壁部の先端部を相互に回転自在に連接し、且つ端部ガイドが上記張設面部材の端部に沿って導出されたときに、隣接するガイド駒の連接面の全部または一部が相互に当接するものとして構成したことを特徴とするものである。
【０００９】
本発明の端部ガイドの好ましい実施形態においては、ガイド駒における立壁部の先端部に沿って通孔を形成するとともに、該通孔にワイヤー部材を挿通して多数のガイド駒を連接することにより端部ガイドを構成することができ、この場合、立壁部の通孔にワイヤー部材を嵌脱する溝を設けて各ガイド駒の組付け、交換等のための着脱を容易にすることができ、また、隣接するガイド駒のワイヤー部材を挿通する通孔間に中間回転子を介在させて、ガイド駒間の屈曲の円滑化をはかるようにした構成とすることができる。
更に、本発明の可収納張設面部材の端部ガイドにおいては、ガイド駒における立壁部に隣接するガイド駒を相互に回動自在に連結する一対の継手を設け、この継手により隣接する多数のガイド駒を順次連接して端部ガイドを構成し、あるいは隣接するガイド駒の連接面における立壁部の先端部を、それぞれ連結子によって回動自在に連結して端部ガイドを構成し、あるいは隣接するガイド駒の立壁部の先端部を可撓の連結条で接合することにより多数のガイド駒を連接して端部ガイドを構成することができる。
上記端部ガイドにおいては、ガイド駒の全部または一部に、それらの摺動面に設けたガイドレールに係合して摺動する係合部を設けるのが有効である。
【００１０】
上記可収納張設面部材は、交互に逆方向に折り返すことによりアコーディオン状に形成したスクリーン、あるいは可撓性のスクリーンまたは多数の棒または帯状材をその長手方向に沿って順次可撓に連結して、ロールに巻いた面部材、あるいは折り畳み可能な筒状部片を順次接合したもの、あるいは折り畳み可能なシート状材を折り目に平行する接着線に沿って接合して形成された筒状部を順次連接して、それにより形成した中空部が厚さ方向に多層化された構成を有するものとすることができる。
更に、本発明の可収納張設面部材の端部ガイドにおいては、該張設面部材の両側端に端部ガイドを設けることができる。
【００１１】
上記構成を有する可収納張設面部材の端部ガイドは、上記ガイド駒の連接面における立壁部の先端部を連接するという簡易な手段で構成することができるので、端部ガイドを安価に提供することができるだけでなく、そのメンテナンス性をも向上させることができる。しかも、屈曲部を端部ガイドの上部（屈曲の内側）に設けているので、屈曲時に隣接するガイド駒の一部が相互に重なることがなく、張設面部材の開閉操作を安定的に行うことができる。
そのうえ、上記端部ガイドが張設面部材の端部に沿って導出されたとき、隣接するガイド駒の連接面が相互に当接するものとして構成しているので、水平横方向への湾曲や逆方向への屈曲（設置面からの浮き上がり）を防止し、張設面部材の端部を常に安定的にガイドすることができ、しかも、上記ガイド駒は、側面視形状を正方形あるいは矩形状に形成できるので、端部ガイドの導出状態においては、その上縁に凹凸がない直線的なレール状に形成され、外観的にもすっきりするばかりでなく、他物（張設面部材等）との引っ掛かりが生じず、開閉操作に供する枠材による張設面部材のより安定的な開閉操作が可能になる。
【００１２】
【発明の実施の形態】
図１乃至図３は本発明に係る可収納張設面部材の端部ガイドの第１実施例であり、該端部ガイドを、建物開口部に装設する横引き網戸におけるネットガイドとして構成した場合の例を示している。
上記横引き網戸は、図４乃至図６に示すように、概略的には、網戸枠２と該網戸枠２内に横開きにより開閉自在に取り付けられた防虫ネット４と、該ネット４の一端に取り付けられた開閉操作用の可動框５とを備えている。上記網戸枠２は、左右の縦枠部材６，８と上部の横枠部材１０とを有し、該網戸枠２の下部において、上記ネット４の下端部をガイドするネットガイド１２を可動框５の移動に伴って出没するように設けている。
上記ネットガイド１２は、その一端が可動框５の下端に固定され、可動框５の移動に伴う上記ネット４の伸縮に応じて、図において左側の縦枠部材６の内部に屈曲して出入りし、張設状態にある上記ネット４の下端に沿って導出されて、それらの端部を保持することにより、ネット４の下端の風等の外力による揺れを抑止するものである。
【００１３】
さらに具体的には、上記ネットガイド１２は、図１乃至図３に示すように、合成樹脂で形成した多数のガイド駒１４を、可撓性を有するワイヤー部材１６で連結することにより構成している。
上記ネットガイド１２を構成するガイド駒１４は、図１に明確に示すように、ネット４の下端に沿う底部１４ａと該ネット４の外面に沿って立ち上がる立壁部１４ｂとにより略Ｕ字状に形成したもので、該ガイド駒１４における立壁部１４ｂの先端部（開口側端部）に沿って、ワイヤー部材１６を挿通する通孔１４ｃを設け、それぞれのガイド駒１４の通孔１４ｃに上記ワイヤー部材１６を挿通することにより各ガイド駒１４を回転可能に連接しており、当該ネットガイド１２の両端のガイド駒１４の外側端において、ワイヤー部材１６の端部にそれぞれストッパー部材１８（図５参照）を付設することにより、各ガイド駒１４がワイヤー部材１６から抜脱しないようにしている。そして、これらのガイド駒１４は、該ガイド駒１４における立壁部１４ｂの端面を当接させることにより連接しており、したがって、上記ワイヤー部材１６の長さは、連接した多数のガイド駒１４の実長とほぼ同長でよいが、上記ネットガイド１２の屈曲や円滑な動作に必要な分だけ余裕を持たせて、すなわち連接した多数のガイド駒１４の実長よりも若干長く形成するのが望ましい。
なお、上記ワイヤー部材１６として、ネット４の開閉操作に供する可動框の平行移動機構を構成する張紐の一部を利用することもできる。
【００１４】
さらに、各ガイド駒１４の立壁部１４ｂには、当該ネットガイド１２が屈曲するに際し、隣接するガイド駒１４における立壁部１４ｂの先端部が当接する微少な切欠部１４ｄを設けることができ（図２に明示）、これにより、上記ワイヤー部材１６の余裕により隣接するガイド駒１４間に隙間を作らなくとも上記ネットガイド１２を屈曲させることができる。
【００１５】
上記ネットガイド１２は、前述したように、ネット４の開閉に伴って網戸枠２を構成する縦枠部材６の下端から湾曲させてその内部に出入りさせ、その導出によってネット４の下端をガイドさせるものである。そのネットガイド１２を構成するワイヤー部材１６は、その屈曲が極めて容易な材質のものとすることもできるが、可動框５の操作力に対抗する緩衝のための作用力を与える程度の反力を示すものとすることもできる。かかる観点から、上記ネットガイド１２におけるワイヤー部材１６は、その材質の選定あるいは太さの調整等により、適度の弾性あるいは可撓性を有するものとする必要がある。
【００１６】
一方、上記可収納張設面部材としてのネット４は、交互に逆方向に折り返して多数のプリーツをジグザグ状に施すことにより、アコーディオン式に伸縮自在としたもので、その両端に網戸枠２の縦枠部材６及びネット４の開閉操作に供する可動框５を取り付け、該可動框５の操作により開閉するようにしている。
【００１７】
而して、上記ネット４の一端に取り付けた開閉操作用の可動框５の操作によるネット４の開閉操作時においては、上記ネットガイド１２はガイド駒１４における立壁部１４ｂの先端部で屈曲するため、ネットガイド１２の屈曲時に隣接するガイド駒１４の立壁部１４ｂが重なり合う部分がなく、すなわちガイド駒１４の立壁部１４ｂに隣接するガイド駒１４の立壁部１４ｂが収容される逃げ部を設ける必要がなく、したがってネットガイド１２の円滑な湾曲動作、すなわちネット４の円滑な開閉操作が可能になる。
【００１８】
上記構成を有する可収納張設面部材としてのネット４の端部ガイドを構成するネットガイド１２は、上記ガイド駒１４の連接面における立壁部１４ｂの先端部を連結するという簡易な手段で構成することができるので、それを安価に提供することができるだけでなく、そのメンテナンス性を向上させることができる。しかも、屈曲部をネットガイド１２の上部（屈曲の内側）に設けているので、屈曲時に隣接するガイド駒１４の一部が相互に重なることがなく、ネット４の開閉操作を円滑かつ安定的に行うことができる。
そのうえ、上記ネットガイド１２がネット４の端部に沿って導出されたとき、隣接するガイド駒１４の連接面が相互に当接するものとして構成しているので、水平横方向への湾曲や逆方向への屈曲（設置面からの浮き上がり）を防止し、ネット４の下端を常に安定的にガイドすることができ、しかも、上記ガイド駒１４は、側面視形状が正方形あるいは矩形状に形成できるので、ネットガイド１２の導出状態においては、その上縁に凹凸がない直線的なレール状に形成され、外観的にもすっきりするばかりでなく、他物（ネット等）との引っ掛かりが生じず、上記ネット４のより安定的な開閉操作が可能になる。
【００１９】
上述した第１実施例においては、端部ガイドを構成するネットガイド１２を、各ガイド駒１４の通孔１４ｃにワイヤー部材１６を順次挿通することにより構成しているが、これに限定されず、以下に説明する第２〜第７実施例のように構成することもできる。
すなわち、図７に示す第２実施例においては、上記ガイド駒１４における立壁部１４ｂの先端部の外側に沿ってワイヤー部材１６を嵌脱する溝１４ｅを形成することにより、多数のガイド駒１４を連接しており、一方、図８に示す第３実施例においては、上記ガイド駒１４における立壁部１４ｂの先端部の内側に沿ってワイヤー部材１６を嵌脱する溝１４ｆを形成することにより、多数のガイド駒１４を連接している。上記溝１４ｅ，１４ｆは、ワイヤー部材１６にある程度の力を掛けることにより嵌脱できる程度の幅を有するものである。
これらの第２及び第３実施例のように構成すれば、仮にネットガイド１２を構成するガイド駒１４の一つが破損したとしても、その破損したガイド駒だけを取り外して交換することができるので、ネットガイド１２のメンテナンス性をさらに高めることができる。
【００２０】
次に、図９及び図１０に示す第４実施例は、隣接するガイド駒１４の連接面における立壁部１４ｂの先端部に沿ってワイヤー部材１６を挿入する通孔１４ｃを形成するとともに、該通孔１４ｃの入口に凹窪１４ｇを設け、隣接するガイド駒１４の凹窪１４ｇ間にそれぞれ略球状のビーズからなる中間回転子２０を介在させることにより、多数のガイド駒を回動自在に連結したものである。
上記中間回転子２０は、略球状でその中央に通孔を有するビーズからなり、該通孔が回転子２０が収容されるところの上記ガイド駒１４の連接面における凹窪１４ｇ内において、立壁部１４ｂの通孔１４ｃにほぼ一致するように配設される。
このように構成すると、ネットガイド１２の屈曲時において、上記中間回転子２０とガイド駒１４における凹窪１４ｇが円滑に摺動するため、結果的にネットガイド１２の円滑な屈曲動作、すなわち可収納張設面部材としてのネット４の円滑な開閉操作が可能になる。
【００２１】
また、図１１及び図１２に示す第５実施例は、隣接するガイド駒１４の連接面における立壁部１４ｂの先端部を、可撓性を有する線状または帯状の連結子２２を略Ｕ字状に折曲した状態で、該連結子２２のそれぞれの端部が隣接するガイド駒１４における立壁部１４ｂの先端部から該立壁部１４ｂの内部に形成した穴１４ｈに嵌挿固定することによって、多数のガイド駒１４を回動自在に連結できるようにしたものである。なお、上記ガイド駒１４の立壁部１４ｂにおける連接面の先端部には、連結子２２の折曲部が隣接するガイド駒の先端部間に突出しないようにするため、上記連結子２２の折曲部を収容するための溝部１４ｉを設けるのが好ましい（図１１参照）。
ここで、上記連結子２２としては、可撓性を有する紐状部材あるいはばね材等を使用することもできる。
【００２２】
さらに、図１３及び図１４に示す第６実施例は、隣接するガイド駒１４における左右の立壁部１４ｂの先端部を、それぞれ１本の可撓の連結条２４と接合することにより多数のガイド駒１４を連接してネットガイド１２を構成したものである。
上記連結条２４は、多数のガイド駒１４における立壁部１４ｂの先端部に接着剤または両面接着テープで貼着することにより、多数のガイド駒１４を連結することもできるが、接着によることなく、係合等によって連結することもできる。
【００２３】
図１５に示す第７実施例は、ガイド駒１４における立壁部１４ｂの先端側両端に、継手２６を一体に形成したもので、該立壁部１４ｂの一端の上部から突出する突片２６ｂに突子２６ａを設けるとともに、他端の上部に隣接するガイド駒１４の突子２６ａをネットガイド１２の屈曲方向に回動自在に支持する支持部２６ｃを設け、各ガイド駒１４の突子２６ａをそれぞれ隣接するガイド駒１４の支持部２６ｃに支持させて多数のガイド駒１４を連接したものである。
上記ガイド駒１４における立壁部１４ｂの先端の支持部２６ｃは、ガイド駒１４の連接面を相互に当接させた状態において、該ガイド駒１４における突子２６ａが嵌入する凹部または孔として構成され、該支持部２６ｃに上記突子２６ａを嵌入させることにより、該ガイド駒１４がネットガイド１２の屈曲方向に回動自在に連結するようにしている。
なお、上述した第２〜第７実施例におけるネットガイド１２のその他の構成及び作用は、実質的に前記第１実施例と同様であるから、同一部分または相当部分に同一符号を付して、それらの説明を省略する。
【００２４】
上述した第１〜第７実施例に記載したネットガイド１２におけるガイド駒１４は、図１６の（Ａ）に示すように、その底部１４ａを平面状にして、平らな設置面上を摺動させることができるが、同図（Ｂ）に示すように、設置面（建物開口部の床面等）上に敷居の高さ程度に敷設したガイドレール１５（図４、図５参照）に跨乗させるための短脚１４ｊを立壁部１４ｂの下方に突設して、その移動をガイドさせることもでき、さらに、同図（Ｃ）に示すように、ガイド駒１４の底部１４ａの裏面に相対向する鉤形に形成したガイド用突条１４ｋ，１４ｋを設け、そのガイド用突条１４ｋ，１４ｋをガイドレール１５の両側の凹溝１５ａに嵌め込むことにより、ネットガイド１２の適正な摺動、すなわち上記ネット４を該ガイドレール１５に沿ってより適正かつ安定的にガイドさせることができる。しかしながら、前述したように、上記ネットガイド１２は、各ガイド駒１４の連接面における立壁部１４ｂの先端部において、上記ワイヤー部材１６により隣接するガイド駒１４と相互に連接しているため、該ネットガイド１２は下方に凸に屈曲することは許容するが、通常とは逆方向、すなわち上方に凸に屈曲しようとしても、隣接するガイド駒１４の連接面が相互に面接触して、上記ネットガイド１２が逆方向に屈曲するのを可及的に抑止するので、必ずしもそのようなガイド用突条１４ｋを設ける必要はない。また、各ガイド駒１４における隣接ガイド駒との連接面は、何れも平面状のものとしてそれらを当接させるようにしているが、該連接面は全面的に当接させる必要はなく、両ガイド駒１４の当接姿勢が一定である範囲内において、部分的に当接させることができる。
【００２５】
本発明に係る可収納張設面部材の端部ガイドは、前記第１実施例に関連して図４乃至図６に記載したような、端部ガイドを構成するネットガイド１２の一端を横引き網戸における可動框５の下端に固定することにより、該可動框５の移動に伴って縦枠部材６の下端からその内部に出入りするものに限定されるものではない。すなわち、端部ガイドを前記第１実施例と同様の建物開口部に装設する横引き網戸におけるネットガイド１２として構成した場合を例にすると、図１７及び図１８に示すように、ネットガイド１２の一端を網戸枠２の縦枠部材６の下端に固定し、可動框５の移動に伴って該可動框５の下端からその内部に出入りするもの、図１９に示すように、可動框５及び網戸枠２の縦枠部材６の双方の下端からその内部に出入りするもの（この場合にはネットガイドが可動框及び縦枠部材から抜け出すのを防止するストッパ等を設ける必要がある。）、あるいは、図２０に示すように、可動框５の上下端部にそれぞれネットガイド１２の一端を固定し、可動框５の移動に伴って上記網戸枠２の縦枠部材６の上下端からその内部に出入りするものとして構成することができる。図２０のようにネットガイド１２をネット４の上下に設ける場合、図１７に示した場合と同様に、ネットガイド１２，１２を縦枠部材６に固定し、可動框５の上下端からその内部に出入りするように構成することもできる。
【００２６】
上記可収納張設面部材は、前記第１乃至第７実施例として示したような、交互に逆方向に折り返して多数のプリーツをジグザグ状に施すことにより、アコーディオン式に伸展自在としたネット４として構成したものに限定されず、面状に展開した部材を折り畳み、巻き取り、重積等によりまとめて収納できるようにした各種面部材に適用することができる。例えば、図２１及び図２２、あるいは図２３及び図２４に示すように、巻取軸３０に巻いた可撓性の防虫ネット、各種シート、その他のスクリーン３１のガイドに利用することができ、この場合には、図示しているようにガイド駒１４を細巾とし、図４乃至図６に示した横引き網戸と同様に、可動框５に一端を固定したネットガイド１２を縦枠部材６にその下端から導出入するようにし（図２１及び図２２）、あるいは図１７及び図１８と同様に、縦枠部材６に一端を固定したネットガイド１２を可動框５にその下端から導出入するように構成することができる（図２３及び図２４）。
【００２７】
なお、図２１及び図２２の例では、スプリングの付勢力で巻き取られるネット３１の巻取軸３０を可動框５内に回転可能に収容し、該可動框５をその上端に設けたローラ５ａで上部の横枠部材１０に吊下している。また、図２３及び図２４の例では、同様の巻取軸３０を縦枠部材６に収容し、可動框５を同様にローラ５ａで吊下している。
さらに、図示していないが、図１９に示すように、ネットガイド１２を可動框５及び縦枠部材６の両者にその下端から導出入させることができ、また、図２０に示すように、ネット３１の上下端をネットガイド１２でガイドさせることもできる。
また、上記可収納張設面部材は、図２５及び図２６に示すように、折り畳み可能な筒状部片を順次接合することにより構成し、あるいは、同様な素材からなる折り畳み可能なシート状材を折り目に平行する接着線に沿って接合して形成された筒状部を順次連接して、それにより形成した中空部が厚さ方向に多層化された構成を有する断熱または遮光用面部材３４として構成したものを使用することができる。
【００２８】
また、本発明に係る可収納張設面部材の端部ガイドは、図２７及び図２８に示すように、従来から間仕切りやカーテンとして一般的に用いられているアコーディオン状面部材３５に適用することもできる。なお、図中３６は可動框５の一部と吸着する吸着部材を示している。
また、上記端部ガイドは、上述した横引き式に開閉する面部材に限らず、上下方向あるいは天窓等に沿う斜引きの面部材のガイドに適用することができる。
図２９は、その一例として上記図２５及び図２６の実施例における面部材３４を上下方向に開閉するようにした使用例を示すもので、この例では、上方の横枠部材４０に面部材３４の一端を固定するとともに、該面部材３４の下端に可動框４１を取り付け、該面部材３４の左右端をガイドする端部ガイド４２として、図示を省略した左右の枠材内において前記第１実施例のものを使用し、その一端を可動框４１に取り付け、他端を上方の横枠部材４０の両端からその内部に導出入するように構成している。端部ガイド４２の一端を横枠部材４０に固定し、端部が可動框４１の両端からその内部に導出入するように構成できるのはもちろんである。また、端部ガイドは前記第１実施例のものに限るものではない。
なお、面部材３４を開閉するための手段は図示を省略しているが、任意手段を採用することができる。
【００２９】
さらに、本発明の端部ガイドの適用は、上述した折畳式の網戸や扉、間仕切り等に限定されず、可収納張設面部材として巻取軸に巻き付けた可撓性の各種スクリーン、または多数の棒または帯状材をその長手方向に沿って順次可撓に連結して、ロールに巻いた面部材として構成したものにも適用することができる。
図３０及び図３１は、その一例として、上記端部ガイドをシャッターに利用した場合を示すもので、上方の横枠部材４０内に配設した巻取軸４５に、帯状板４６ａをその長手方向に沿って順次可撓に連結したシャッター部材４６を巻き取るように構成し、該シャッター部材４６の左右側端を、横枠部材４０に一端を固定し他端を可動框４１内に導出入可能にした端部ガイド４２，４２（前記第１乃至第７実施例参照）によってガイドさせている。
上記端部ガイド４２を構成するガイド駒１４は、図１６の（Ｃ）に示すように、その裏面にガイド用突条１４ｋを有するものとして、建物開口部に固定したガイドレール１５に係合して摺動するものとするのが望ましい。
なお、このシャッターは、建物開口部に設ける場合だけでなく、シャッター状の扉を付設した家具等における該扉のガイドにも利用することができる。
【００３０】
【発明の効果】
以上に詳述した本発明の可収納張設面部材の端部ガイドは、該端部ガイドを構成するガイド駒の連接面における立壁部の先端部を連接するという簡易な手段で構成することができるので、端部ガイドを安価に提供することができるだけでなく、そのメンテナンス性をも向上させることができる。しかも、屈曲を端部ガイドの上部（屈曲の内側）に設けているので、屈曲時に隣接するガイド駒の一部が相互に重なることがなく、張設面部材の開閉操作を安定的に行うことができる。
そのうえ、上記端部ガイドが張設面部材の端部に沿って導出されたとき、隣接するガイド駒の連接面が相互に当接するものとして構成しているので、水平横方向への湾曲や逆方向への屈曲（設置面からの浮き上がり）を防止し、張設面部材の端部を常に安定的にガイドすることができ、しかも、上記ガイド駒は、側面視形状を正方形あるいは矩形状に形成できるので、端部ガイドの導出状態においては、その上縁に凹凸がない直線的なレール状に形成され、外観的にもすっきりするばかりでなく、他物（張設面部材等）との引っ掛かりが生じず、開閉操作に供する枠材による張設面部材のより安定的な開閉操作が可能になる。
【図面の簡単な説明】
【図１】本発明に係る端部ガイドの第１実施例を構成するガイド駒の斜視図である。
【図２】上記ガイド駒を連接した端部ガイドの側面図である。
【図３】同斜視図である。
【図４】上記端部ガイドを用いた横引き網戸の構成を示す要部斜視図である。
【図５】同正面図である。
【図６】同平断面図である。
【図７】（Ａ）は本発明に係る端部ガイドの第２実施例を構成するガイド駒の正面図、（Ｂ）は同側面図である。
【図８】（Ａ）は本発明に係る端部ガイドの第３実施例を構成するガイド駒の正面図、（Ｂ）は同側面図である。
【図９】本発明に係る端部ガイドの第４実施例を構成するガイド駒の正面図である。
【図１０】同ガイド駒を用いた端部ガイドの側断面図である。
【図１１】本発明に係る端部ガイドの第５実施例を構成するガイド駒の平面図である。
【図１２】同ガイド駒を用いた端部ガイドの側断面図である。
【図１３】本発明に係る端部ガイドの第６実施例を構成するガイド駒の正面図である。
【図１４】同ガイド駒を用いた端部ガイドの側断面図である。
【図１５】本発明に係る端部ガイドの第７実施例の斜視図である。
【図１６】（Ａ）〜（Ｃ）は、ガイド駒における底部裏面の形態の変形例を示す正面図である。
【図１７】端部ガイドの図４〜６とは異なる使用形態を示す正面図である。
【図１８】同平断面図である。
【図１９】端部ガイドの他の使用形態を示す正面図である。
【図２０】端部ガイドの他の使用形態を示す正面図である。
【図２１】端部ガイドの他の使用形態を示す正面図である。
【図２２】同平断面図である。
【図２３】端部ガイドの他の使用形態を示す正面図である。
【図２４】同平断面図である。
【図２５】端部ガイドの他の使用形態を示す正面図である。
【図２６】同平断面図である。
【図２７】端部ガイドの他の使用形態を示す正面図である。
【図２８】同平断面図である。
【図２９】端部ガイドの更に他の使用形態を示す斜視図である。
【図３０】端部ガイドをシャッターに適用した場合の正面図である。
【図３１】同部分斜視図である。
【符号の説明】
４    ネット
５，４１    可動框
６，８    縦枠部材
１２    ネットガイド
１４    ガイド駒
１４ａ  底部
１４ｂ  立壁部
１４ｃ  通孔
１４ｅ，１４ｆ  溝
１４ｋ  ガイド用突条
１５    ガイドレール
１５ａ  凹溝
１６    ワイヤー部材
１８    ストッパー部材
２０    中間回転子
２２    連結子
２４    連結条
２６ａ  突子
２６ｂ  突片
２６ｃ  支持部
３０，４５    巻取軸
３１    スクリーン
３４    遮光用面部材
３５    アコーディオン状面部材
４２    端部ガイド
４６    シャッター部材
４６ａ  帯状板
【図１】
2005023578.tif 000003
【図２】
2005023578.tif 000004
【図３】
2005023578.tif 000005
【図４】
2005023578.tif 000006
【図５】
2005023578.tif 000007
【図６】
2005023578.tif 000008
【図７】
2005023578.tif 000009
【図８】
2005023578.tif 000010
【図９】
2005023578.tif 000011
【図１０】
2005023578.tif 000012
【図１１】
2005023578.tif 000013
【図１２】
2005023578.tif 000014
【図１３】
2005023578.tif 000015
【図１４】
2005023578.tif 000016
【図１５】
2005023578.tif 000017
【図１６】
2005023578.tif 000018
【図１７】
2005023578.tif 000019
【図１８】
2005023578.tif 000020
【図１９】
2005023578.tif 000021
【図２０】
2005023578.tif 000022
【図２１】
2005023578.tif 000023
【図２２】
2005023578.tif 000024
【図２３】
2005023578.tif 000025
【図２４】
2005023578.tif 000026
【図２５】
2005023578.tif 000027
【図２６】
2005023578.tif 000028
【図２７】
2005023578.tif 000029
【図２８】
2005023578.tif 000030
【図２９】
2005023578.tif 000031
【図３０】
2005023578.tif 000032
【図３１】
2005023578.tif 000033